(57)【要約】【課題】  カラーファイルを通信可能なファクシミリ装置において、より簡便な方法で非原稿画像ファイルの通信を可能とすること。【解決手段】  カラーファイル情報を通信可能なファクシミリ装置であって、  送信するカラーファイルが、解像度という概念のないｓＹＣＣのＪＰＥＧ符号化ファイルであること及びｓＹＣＣのフルカラーモードであることを指定するビットをＦＩＦに設け、送信側ではこのビットを設定した場合解像度情報及び画像幅情報に任意の値を設定する。受信側ではこれらビットが有効である場合には、ＦＩＦ内の解像度情報及び画像幅情報は無視し、受信したＪＰＥＧファイルのヘッダ情報から得た情報によりプリントアウトを行う。また、これらビットが無効の場合は、通常の送受信、プリント処理を行う。【選択図】  図２
2004159306.tif 000002
【特許請求の範囲】
【請求項１】
カラーファイル情報を通信可能なファクシミリ装置であって、
受信するカラーファイルが、第１の色空間でのカラーファイル情報か、前記第１の色空間と異なる第２の色空間でのカラーファイル情報かを判定する判定手段と、
前記第１の色空間でのカラーファイル情報を受信する場合には、相手先ファクシミリ装置から通知される解像度情報及び画像幅情報を用い、前記第２の色空間でのカラーファイル情報を受信する場合には、前記相手先ファクシミリ装置から受信したカラーファイル情報から生成した解像度情報及び画像幅情報を用いて出力処理を行う出力手段とを有することを特徴とするファクシミリ装置。
【請求項２】
前記出力手段が、前記第２の色空間でのカラーファイルを受信する場合、受信したカラーファイルのヘッダ情報から前記解像度情報及び画像幅情報を生成することを特徴とする請求項１記載のファクシミリ装置。
【請求項３】
前記出力手段が、前記第２の色空間でのカラーファイルをプリントする際、カラーファイルのヘッダ情報から当該カラーファイルの画素数情報を取得し、所定サイズの記録紙にプリント可能なように解像度変換してから前記所定サイズの記録紙にプリントすることを特徴とする請求項１又は請求項２記載のファクシミリ装置。
【請求項４】
前記相手先ファクシミリ装置から送信されるＤＣＳ信号に、前記第２の色空間でのカラーファイル情報であることを示す少なくとも１つの情報ビットが含まれ、前記判定手段が前記情報ビットに基づいて前記判定を行うことを特徴とする請求項１乃至請求項３のいずれか１項に記載のファクシミリ装置。
【請求項５】
カラーファイル情報を通信可能なファクシミリ装置であって、
送信するカラーファイルが、第１の色空間でのカラーファイル情報か、前記第１の色空間と異なる第２の色空間でのカラーファイル情報かを相手先ファクシミリ装置へ通知する第１の通知手段と、
前記第１の色空間でのカラーファイル情報を送信する場合と、前記第１の色空間と異なる第２の色空間でのカラーファイル情報を送信する場合とで、異なる方法により相手先ファクシミリ装置へ送信解像度情報及び画像幅情報の通知を行う第２の通知手段を有することを特徴とするファクシミリ装置。
【請求項６】
前記第２の通知手段が、前記第１の色空間でのカラーファイル情報を送信する場合には、当該カラーファイルを生成した際に取得した解像度情報及び原稿幅情報を前記相手先ファクシミリ装置へ通知し、前記第２の色空間でのカラーファイル情報を送信する場合には、任意の解像度情報及び原稿幅情報を通知することを特徴とする請求項５記載のファクシミリ装置。
【請求項７】
さらに、原稿を読み取る原稿読み取り手段と、着脱可能な記憶装置から画像ファイルを読み出す読み出し手段とを有し、
前記第１の色空間でのカラーファイル情報が、前記原稿読み取り手段を用いて生成したカラーファイル情報であり、前記第２の色空間でのカラーファイル情報が、読み出し手段を用いて読み出した画像ファイルであることを特徴とする請求項５または請求項６記載のファクシミリ装置。
【請求項８】
前記第１の色空間がＬａｂ、前記第２の色空間がｓＹＣＣであることを特徴とする請求項１乃至請求項７のいずれか１項に記載のファクシミリ装置。
【請求項９】
カラーファイル情報のファクシミリ通信方法であって、
受信するカラーファイルが、第１の色空間でのカラーファイル情報か、前記第１の色空間と異なる第２の色空間でのカラーファイル情報かを判定する判定ステップと、
前記第１の色空間でのカラーファイル情報を受信する場合には、相手先ファクシミリ装置から通知される解像度情報及び画像幅情報を用い、前記第２の色空間でのカラーファイル情報を受信する場合には、前記相手先ファクシミリ装置から受信したカラーファイル情報から生成した解像度情報及び画像幅情報を用いて出力処理を行う出力ステップとを有することを特徴とするファクシミリ通信方法。
【請求項１０】
カラーファイル情報のファクシミリ通信方法であって、
送信するカラーファイルが、第１の色空間でのカラーファイル情報か、前記第１の色空間と異なる第２の色空間でのカラーファイル情報かを相手先ファクシミリ装置へ通知する第１の通知ステップと、
前記第１の色空間でのカラーファイル情報を送信する場合と、前記第１の色空間と異なる第２の色空間でのカラーファイル情報を送信する場合とで、異なる方法により相手先ファクシミリ装置へ送信解像度情報及び画像幅情報の通知を行う第２の通知ステップを有することを特徴とするファクシミリ通信方法。
【請求項１１】
ファクシミリ通信可能なコンピュータに、
受信するカラーファイルが、第１の色空間でのカラーファイル情報か、前記第１の色空間と異なる第２の色空間でのカラーファイル情報かを判定する判定ステップと、
前記第１の色空間でのカラーファイル情報を受信する場合には、相手先ファクシミリ装置から通知される解像度情報及び画像幅情報を用い、前記第２の色空間でのカラーファイル情報を受信する場合には、前記相手先ファクシミリ装置から受信したカラーファイル情報から生成した解像度情報及び画像幅情報を用いて出力処理を行う出力ステップとを有するファクシミリ通信方法を実行させるためのプログラム。
【請求項１２】
ファクシミリ通信可能なコンピュータに、
送信するカラーファイルが、第１の色空間でのカラーファイル情報か、前記第１の色空間と異なる第２の色空間でのカラーファイル情報かを相手先ファクシミリ装置へ通知する第１の通知ステップと、
前記第１の色空間でのカラーファイル情報を送信する場合と、前記第１の色空間と異なる第２の色空間でのカラーファイル情報を送信する場合とで、異なる方法により相手先ファクシミリ装置へ送信解像度情報及び画像幅情報の通知を行う第２の通知ステップを有するファクシミリ通信方法を実行させるためのプログラム。
【請求項１３】
ファクシミリ通信可能なコンピュータを、
受信するカラーファイルが、第１の色空間でのカラーファイル情報か、前記第１の色空間と異なる第２の色空間でのカラーファイル情報かを判定する判定手段と、
前記第１の色空間でのカラーファイル情報を受信する場合には、相手先ファクシミリ装置から通知される解像度情報及び画像幅情報を用い、前記第２の色空間でのカラーファイル情報を受信する場合には、前記相手先ファクシミリ装置から受信したカラーファイル情報から生成した解像度情報及び画像幅情報を用いて出力処理を行う出力手段とを有するファクシミリ装置として機能させるコンピュータプログラムを格納したコンピュータ読み取り可能な記録媒体。
【請求項１４】
ファクシミリ通信可能なコンピュータを、
送信するカラーファイルが、第１の色空間でのカラーファイル情報か、前記第１の色空間と異なる第２の色空間でのカラーファイル情報かを相手先ファクシミリ装置へ通知する第１の通知手段と、
前記第１の色空間でのカラーファイル情報を送信する場合と、前記第１の色空間と異なる第２の色空間でのカラーファイル情報を送信する場合とで、異なる方法により相手先ファクシミリ装置へ送信解像度情報及び画像幅情報の通知を行う第２の通知手段を有するファクシミリ装置として機能させるコンピュータプログラムを格納したコンピュータ読み取り可能な記録媒体。
【発明の詳細な説明】
【技術分野】
【０００１】
本発明は、ファクシミリ伝送技術に関し、特に、カラー情報（グレースケール含む）を伝送可能なファクシミリ伝送技術に関するものである。
【背景技術】
【０００２】
従来のファクシミリ装置は、モノクロ情報を通信するファクシミリ装置が主流であった。モノクロ情報の通信では、受信機から送信機に、受信可能な解像度をＤＩＳ(Digital Information Signal)信号により通知し、一方、送信機から受信機へは送信する解像度や原稿幅をＤＣＳ(Digital Control Signal)信号により指定していた。この制御情報のやり取りは、現在のＩＴＵ−Ｔ勧告で規定されているカラー情報の通信においても同様に行われる。
【０００３】
また、例えば特許文献１には、ＩＴＵ−Ｔ勧告Ｔ．３０に規定されるＤＩＳ信号及びＤＣＳ信号を拡張し、送信原稿中のカラーページの有無や、カラー原稿の受信能力に関する情報を相手先ファクシミリ装置に通知し、モノクロページとカラーページとが混在した原稿のファクシミリ送信を効率化することが開示されている。
【０００４】
現在、カラー情報を通信するファクシミリ装置は、ＩＴＵ−Ｔ勧告Ｔ．８２で規定されているＪＰＥＧ符号化を用い、ＩＴＵ−Ｔ勧告Ｔ．４２の色空間Ｌａｂでのグレースケール情報、及び、フルカラー情報の送信を実行している。
【０００５】
一方、最近、デジタルカメラの急速な普及に伴い、撮影したカラーファイル情報（カラー画像情報）を、ファクシミリ送信することに対するニーズも急増している。そして、デジタルカメラで用いられる色空間は、ＬａｂではなくｓＹＣＣ（ｓＲＧＢをベースとするＹＣＣ）である。
【０００６】
【特許文献１】特開平７−１７７３３２号公報
【発明の開示】
【発明が解決しようとする課題】
【０００７】
従来の、色空間ＬａｂでのＪＰＥＧフルカラー原稿情報の送信では、モノクロの原稿情報を２値情報として送信する場合と同様に、あくまで原稿情報、すなわち、読み取り装置で読み取った情報の送信であるため、解像度や画像幅の情報を得ることができ、ＤＣＳ信号において解像度や画像幅の指定を行うことが可能であった。これに対し、色空間ｓＹＣＣでのＪＰＥＧフルカラー送信では、例えばメモリカードに蓄えられた、デジタルカメラで撮影された画像情報を送るケースが多いと考えられる。しかしながら、デジタルカメラで撮影した色空間ｓＹＣＣの画像ファイルのように原稿を読み取ることなく生成された画像ファイル（非原稿画像情報）には、解像度という概念が無い。そのため、このような画像ファイルを上述の制御手順を用いて送信する場合、制御手順（ＤＣＳ信号）において指定する画像幅や解像度情報を主走査方向の画素数、副走査方向の画素数により決定する必要があり、ファイル情報を変換する手間が必要であった。
【０００８】
本発明はこのような従来技術の問題点に鑑みなされたものであり、その目的は、デジタルカメラで撮影された画像ファイル等の非原稿画像情報をファクシミリ伝送する際、より簡便な手順によって送受信を可能とすることにある。
【課題を解決するための手段】
【０００９】
すなわち、本発明の要旨は、カラーファイル情報を通信可能なファクシミリ装置であって、受信するカラーファイルが、第１の色空間でのカラーファイル情報か、第１の色空間と異なる第２の色空間でのカラーファイル情報かを判定する判定手段と、第１の色空間でのカラーファイル情報を受信する場合には、相手先ファクシミリ装置から通知される解像度情報及び画像幅情報を用い、第２の色空間でのカラーファイル情報を受信する場合には、相手先ファクシミリ装置から受信したカラーファイル情報から生成した解像度情報及び画像幅情報を用いて出力処理を行う出力手段とを有することを特徴とするファクシミリ装置に存する。
【００１０】
また、本発明の別の要旨は、カラーファイル情報を通信可能なファクシミリ装置であって、送信するカラーファイルが、第１の色空間でのカラーファイル情報か、第１の色空間と異なる第２の色空間でのカラーファイル情報かを相手先ファクシミリ装置へ通知する第１の通知手段と、第１の色空間でのカラーファイル情報を送信する場合と、第１の色空間と異なる第２の色空間でのカラーファイル情報を送信する場合とで、異なる方法により相手先ファクシミリ装置へ送信解像度情報及び画像幅情報の通知を行う第２の通知手段を有することを特徴とするファクシミリ装置に存する。
【００１１】
また、本発明の別の要旨は、カラーファイル情報のファクシミリ通信方法であって、受信するカラーファイルが、第１の色空間でのカラーファイル情報か、第１の色空間と異なる第２の色空間でのカラーファイル情報かを判定する判定ステップと、第１の色空間でのカラーファイル情報を受信する場合には、相手先ファクシミリ装置から通知される解像度情報及び画像幅情報を用い、第２の色空間でのカラーファイル情報を受信する場合には、相手先ファクシミリ装置から受信したカラーファイル情報から生成した解像度情報及び画像幅情報を用いて出力処理を行う出力ステップとを有することを特徴とするファクシミリ通信方法に存する。
【００１２】
また、本発明の別の要旨は、カラーファイル情報のファクシミリ通信方法であって、送信するカラーファイルが、第１の色空間でのカラーファイル情報か、第１の色空間と異なる第２の色空間でのカラーファイル情報かを相手先ファクシミリ装置へ通知する第１の通知ステップと、第１の色空間でのカラーファイル情報を送信する場合と、第１の色空間と異なる第２の色空間でのカラーファイル情報を送信する場合とで、異なる方法により相手先ファクシミリ装置へ送信解像度情報及び画像幅情報の通知を行う第２の通知ステップを有することを特徴とするファクシミリ通信方法に存する。
【００１３】
また、本発明の別の要旨は、ファクシミリ通信可能なコンピュータに、受信するカラーファイルが、第１の色空間でのカラーファイル情報か、第１の色空間と異なる第２の色空間でのカラーファイル情報かを判定する判定ステップと、第１の色空間でのカラーファイル情報を受信する場合には、相手先ファクシミリ装置から通知される解像度情報及び画像幅情報を用い、第２の色空間でのカラーファイル情報を受信する場合には、相手先ファクシミリ装置から受信したカラーファイル情報から生成した解像度情報及び画像幅情報を用いて出力処理を行う出力ステップとを有するファクシミリ通信方法を実行させるためのプログラムに存する。
【００１４】
また、本発明の別の要旨は、ファクシミリ通信可能なコンピュータに、送信するカラーファイルが、第１の色空間でのカラーファイル情報か、第１の色空間と異なる第２の色空間でのカラーファイル情報かを相手先ファクシミリ装置へ通知する第１の通知ステップと、第１の色空間でのカラーファイル情報を送信する場合と、第１の色空間と異なる第２の色空間でのカラーファイル情報を送信する場合とで、異なる方法により相手先ファクシミリ装置へ送信解像度情報及び画像幅情報の通知を行う第２の通知ステップを有するファクシミリ通信方法を実行させるためのプログラムに存する。
【００１５】
また、本発明の別の要旨は、ファクシミリ通信可能なコンピュータを、受信するカラーファイルが、第１の色空間でのカラーファイル情報か、第１の色空間と異なる第２の色空間でのカラーファイル情報かを判定する判定手段と、第１の色空間でのカラーファイル情報を受信する場合には、相手先ファクシミリ装置から通知される解像度情報及び画像幅情報を用い、第２の色空間でのカラーファイル情報を受信する場合には、相手先ファクシミリ装置から受信したカラーファイル情報から生成した解像度情報及び画像幅情報を用いて出力処理を行う出力手段とを有するファクシミリ装置として機能させるコンピュータプログラムを格納したコンピュータ読み取り可能な記録媒体に存する。
【００１６】
また、本発明の別の要旨は、ファクシミリ通信可能なコンピュータを、送信するカラーファイルが、第１の色空間でのカラーファイル情報か、第１の色空間と異なる第２の色空間でのカラーファイル情報かを相手先ファクシミリ装置へ通知する第１の通知手段と、第１の色空間でのカラーファイル情報を送信する場合と、第１の色空間と異なる第２の色空間でのカラーファイル情報を送信する場合とで、異なる方法により相手先ファクシミリ装置へ送信解像度情報及び画像幅情報の通知を行う第２の通知手段を有するファクシミリ装置として機能させるコンピュータプログラムを格納したコンピュータ読み取り可能な記録媒体に存する。
【発明の効果】
【００１７】
本発明によれば、送信側ではデジタルカメラで撮影した色空間ｓＹＣＣでのＪＰＥＧフルカラー画像情報のような非原稿情報の送信である旨の通知を行い、受信側で当該通知を検知した場合には、受信側がＪＰＥＧファイルのヘッダで定義されている画素数を用いて解像度および画像幅を決定するようにすることで、送信側では非原稿画像の情報を変換して解像度情報および原稿幅情報を生成する手間が不要となる上、既存プロトコルを利用して実現することが可能となる。
【発明を実施するための最良の形態】
【００１８】
以下、添付図面を参照して、本発明をその好適な実施形態に基づき詳細に説明する。
図１は、本発明の実施形態に係るファクシミリ装置の構成例を示すブロック図である。
【００１９】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００２０】
４は、電話機である。
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００２１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、どの勧告に基づいた変復調を行うかが指定される。変復調器８は、バス２６からの送信信号を入力して変調データを信号線８ａに出力するとともに、信号線６ａに出力されている受信信号を入力して復調データをバス２６に出力する。
【００２２】
１０は、発呼回路であり、バス２６からの信号により、電話番号情報を入力し、信号線１０ａにＤＴＭＦの選択信号を出力する。
１２は、加算回路であり、信号線８ａの情報と信号線１０ａの情報を入力し、加算した結果を信号線１２ａに出力する。
【００２３】
１４は、カラー読み取り可能な読取回路であり、読み取りデータをバス２６に出力する。
１６は、カラー記録可能な記録回路であり、バス２６に出力されている情報を順次１ライン毎に記録する。
【００２４】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２５】
２０は、操作部であり、ワンタッチダイヤル、短縮ダイヤル、テンキー、＊キー、＃キー、スタートキー、ストップキー、セットキー、カラー情報の送信を選択するキー、メモリカード情報の送信選択キー、その他のファンクションキーがあり、押下されたキー情報はバス２６に出力される。
【００２６】
操作部２０には、図示しない表示部があり、バス２６に出力されている情報を表示する。
２２は、ＣＰＵ（中央処理装置）であり、ファクシミリ伝送制御手順の実行を含めたファクシミリ装置全体の制御を行う。ＣＰＵ２２の制御プログラムは、ＲＯＭ２４に格納される。
【００２７】
２６は、バスである。
２８は、リムーバブルメモリカードを用いるためのカードインターフェイスである。
３０は、リムーバブルメモリカードである。
【００２８】
図２は、本実施形態において用いられる、ＤＩＳ／ＤＴＣ(Digital Transmit Signal)信号およびＤＣＳ信号におけるＦＩＦ(Facsimile Information Field)のビット番号とそのビットが”１”である場合に有効な意味（状態）を示し、ＩＴＵ−Ｔ勧告Ｔ．３０に規定されているものと本発明によって新たに設定されたものを含んでいる。
【００２９】
図２に記載されたＦＩＦビットのうち、ＪＰＥＧ送信、フルカラー情報の送信としては以下の情報がある。
ＤＩＳ／ＤＴＣ信号のＦＩＦの第６８ビットにより、色空間ＬａｂでのＪＰＥＧ受信機能の有無を通知し、ＤＣＳ信号のＦＩＦの第６８ビットにより、色空間ＬａｂでのＪＰＥＧ送信を指定する。
【００３０】
また、ＤＩＳ／ＤＴＣ信号のＦＩＦの第６９ビットにより、色空間Ｌａｂでのフルカラー受信機能の有無を通知し、ＤＣＳ信号のＦＩＦの第６９ビットにより、色空間Ｌａｂのフルカラー送信を指定する。
【００３１】
ＤＩＳ／ＤＴＣ信号のＦＩＦのＸビットにより、色空間ｓＹＣＣでのＪＰＥＧ受信機能の有無を通知し、ＤＣＳ信号のＦＩＦのＸビットにより、色空間ｓＹＣＣでのＪＰＥＧ送信を指定する。
【００３２】
また、ＤＩＳ／ＤＴＣ信号のＦＩＦの（Ｘ＋１）ビットにより、色空間ｓＹＣＣのフルカラー受信機能の有無を通知し、ＤＣＳ信号のＦＩＦの（Ｘ＋１）ビットにより、色空間ｓＹＣＣのフルカラー送信を指定する。なお、Ｘ、（Ｘ＋１）ビットとは、現在Ｔ．３０勧告に規定されていないビット番号（Ｘ）とその次のビット番号（Ｘ＋１）を意味している。
【００３３】
次に、解像度関連の情報として、第１５、４１、４２、４３、９７、９８、１０５、１０６、１０７、１０８、１０９、１１０、１１１ビットがあるが、ここでの説明は省略する。
最後に、原稿（記録）幅関連の情報として、第１７、１８、１９、２０、７６、７７ビットがあるが、ここでの説明は省略する。
【００３４】
２４は、ＲＯＭであり、ＣＰＵ２２の制御プログラムが格納されている。ＣＰＵ２２はＲＯＭ２４に格納された制御プログラムを実行することによって、従来のカラーファクシミリ装置と同等の送受信機能および、色空間ｓＹＣＣでのＪＰＥＧ符号化情報の送受信機能を含め、以下に説明する、本実施形態に係るファクシミリ装置の動作を実現する。
【００３５】
次に、図３〜図７に示すフローチャートを用いて、本実施形態に係るファクシミリ装置の動作について説明する。なお、図３〜図７に示す動作は、ＣＰＵ２２がＲＯＭ２４に記憶された制御プログラムを実行し、ファクシミリ装置の各構成要素を制御することによって実現される。
【００３６】
図３において、Ｓ０は、始めを表している。
Ｓ２では、バス２６を介して、メモリ１８をイニシャライズする。
Ｓ４では、バス２６を介して、操作部２０の図示しない表示部をクリアする。
Ｓ６では、バス２６を介してＮＣＵ２のＣＭＬをオフ（電話回線２ａを電話機側に接続）する。
【００３７】
Ｓ８では、ファクシミリ受信が選択されたか否か（受信機として動作するか否か）が判断され、ＹＥＳであるとＳ１２に進み、ＮＯであるとＳ１０に進む。
Ｓ１２では、バス２６を介して、ＮＣＵ２のＣＭＬをオン（電話回線２ａをファクシミリ装置側に接続）する。
【００３８】
Ｓ１４は前手順を表している。ここで、ＤＩＳ信号のＦＩＦの第１５、４１、４２、４３、６８、６９、９７、９８、１０５、１０６、１０７、１０８、１０９、１１０、１１１、Ｘ、（Ｘ＋１）、７６、７７ビットをそれぞれ１とする。また、ＤＩＳ信号のＦＩＦの（第１７、１８）ビットは（０、１）とし、（第１９、２０）ビットは（０、１）とする。
【００３９】
Ｓ１６では、送信側から受信したＤＣＳ信号のＦＩＦのＸ、（Ｘ＋１）ビットがともに１であるか否か（すなわち、色空間ｓＹＣＣでのＪＰＥＧ符号化、色空間ｓＹＣＣでのフルカラーモードの両方が指定されているか否か）が判断され、ＹＥＳであるとＳ１８（図４（ａ））に進み、ＮＯであるとＳ２４（図４（ｂ））に進む。
【００４０】
Ｓ１８では、ＤＣＳ信号のＦＩＦの第１５、４１、４２、４３、６８、６９、９７、９８、１０５、１０６、１０７、１０８、１０９、１１０、１１１、１７、１８、１９、２０、７６、７７ビットの情報、すなわち図２におけるＸ、（Ｘ＋１）ビット以外のビットはすべて無視する。
【００４１】
そして、Ｓ２０で、送信側から送られてくる、色空間ｓＹＣＣでのＪＰＥＧフルカラー情報を受信し、メモリカード３０へ格納する。ここで、ＪＰＥＧヘッダを参照し、そのＸパラメータで、受信したＪＰＥＧ画像の主走査方向の画素数を、Ｙパラメータで副走査方向のライン数を把握する。
Ｓ２２で、後手順を行い、Ｓ６へ戻る。
【００４２】
一方、Ｓ１６において、ＤＣＳ信号のＦＩＦのＸ、（Ｘ＋１）ビットの少なくとも１つが”０”である場合、Ｓ２４において、ＤＣＳ信号のＦＩＦのＸビットが”１”、（Ｘ＋１）ビットが”０”の組み合わせであるか否か（すなわち、色空間ｓＹＣＣでのＪＰＥＧグレースケール情報であるか否か）が判断され、ＹＥＳであるとＳ２６に進み、ＮＯ（Ｘビット、（Ｘ＋１）ビットともに”０”）であるとＳ３２（図５（ｂ））に進む。
【００４３】
Ｓ２６においては、Ｓ１８と同様、ＤＣＳ信号のＦＩＦの１５、４１、４２、４３、６８、６９、９７、９８、１０５、１０６、１０７、１０８、１０９、１１０、１１１、１７、１８、１９、２０、７６、７７ビットの情報は無視する。
【００４４】
そして、Ｓ２８（図５（ａ））において、色空間ｓＹＣＣでのＪＰＥＧグレースケール情報の受信およびメモリカード３０への格納を行う。ここで、ＪＰＥＧヘッダを参照し、そのＸパラメータで、受信したＪＰＥＧ画像の主走査方向の画素数を、Ｙパラメータで副走査方向のライン数を把握する。すなわち、送信機が、色空間ｓＹＣＣでのフルカラー情報を送信時は、主走査方向はビット数、副走査方向はライン数でのみ定義される。
Ｓ３０で、後手順を行い、Ｓ６へ戻る。
【００４５】
Ｓ２４において、ＮＯの場合、すなわち、Ｘ、（Ｘ＋１）ビットがいずれも”０”である場合、Ｓ３２（図５（ｂ））において、ＤＣＳ信号のＦＩＦの第６８ビットは”１”であるか否か（色空間ＬａｂでのＪＰＥＧ符号化が有効であるか否か）が判断され、ＹＥＳであるとＳ３４に進み、ＮＯである、すなわち、ＤＣＳ信号のＦＩＦの６８、６９ビットがともに０であるとＳ４６（図６（ｃ））に進む。
【００４６】
色空間ＬａｂでのＪＰＥＧ符号化が指定されている場合、Ｓ３４で、ＤＣＳ信号のＦＩＦの１５、４１、４２、４３、９７、９８、１１０、１１１ビットの情報から解像度を認識し、１７、１８、１９、２０、７６、７７ビットの情報から紙サイズを認識する。
【００４７】
次に、Ｓ３６で、ＤＣＳ信号のＦＩＦの第６９ビットは”１”であるか否か（色空間Ｌａｂでのフルカラーモードが指定されているか否か）が判断され、ＹＥＳであるとＳ３８に進み、ＮＯであるとＳ４２（図６（ｂ））に進む。
Ｓ３８では、色空間ＬａｂでのＪＰＥＧフルカラー情報を受信し、Ｓ３４で認識した解像度及び紙サイズでプリントを行う。
Ｓ４０（図６（ａ））で、後手順を行い、Ｓ６へ戻る。
【００４８】
Ｓ３６でＮＯ、すなわちＤＣＳ信号のＦＩＦの第６９ビットが”０”であった場合には、Ｓ４２（図６（ｂ））では、色空間ＬａｂでのＪＰＥＧグレースケール情報を受信し、Ｓ３４で認識した解像度及び紙サイズでプリントする。
Ｓ４４で、後手順を行い、Ｓ６へ戻る。
【００４９】
Ｓ３２においてＮＯ、すなわちＤＣＳ信号のＦＩＦの第６８，６９ビットがいずれも”０”の場合、Ｓ４６（図６（ｃ））において、ＤＣＳ信号のＦＩＦの１５、４１、４２、４３、１０５、１０６、１０７、１０８、１０９ビットの情報で解像度を認識し、１７、１８、１９、２０、７６、７７ビットの情報で紙サイズを認識する。
そして、Ｓ４８においては、モノクロ情報を受信し、Ｓ４６で認識した解像度及び紙サイズでプリントする。
Ｓ５０で、後手順を行い、Ｓ６へ戻る。
【００５０】
図３のＳ８でＮＯの場合、Ｓ１０へ進み、その他の処理を行う。そして、その他の処理が終わると、Ｓ５２に進む。
Ｓ５２では、メモリカード３０に情報が格納されているか否かが判断され、ＹＥＳであるとＳ５４に進み、ＮＯであるとＳ６へ戻る。
【００５１】
Ｓ５４では、メモリカード３０に格納されている情報を操作部２０の表示部に所定の方法、例えばサムネイル画像や受信日時、相手先等の情報により表示する。そして、操作部２０からプリント指示がなされたか否かが判断され、ＹＥＳであるとＳ５６（図７）に進み、ＮＯであるとＳ６へ戻る。
【００５２】
Ｓ５６では、メモリカード３０に格納されている情報（色空間sＹＣＣのＪＰＥＧ情報）のうち、操作部２０により指定されたものについて、記録紙に対応した所定のサイズ（本実施形態ではＡ４サイズとする）となるように解像度変換（縮尺）してプリントする。
具体的には、ＪＰＥＧヘッダのＸ、Ｙ情報をもとに、記録回路１６が記録可能な紙サイズのうち適切な用紙サイズ（例えば、縮小する必要がない、又は縮小率が小さくて済むような用紙サイズ）にプリントできるよう、Ｘ，Ｙの比率を維持して縮尺してプリントすればよい。
【００５３】
なお、本実施形態に係るファクシミリ装置が送信機として動作する場合には、以下のように動作する。
まず、読み取り回路１４にセットされた原稿の送信が指定されたか、メモリカード３０に格納された画像情報の送信が指定されたかを判定する。この判定は、たとえば操作部２０の表示部に選択用のＧＵＩを表示し、選択結果を検出することで実現できる。
【００５４】
そして、原稿画像の送信が指定された場合には、ＤＣＳ信号のＦＩＦのＸビットおよび（Ｘ＋１）ビットをいずれも”０”にする以外は従来のカラーファクシミリ装置と同様にして送信を行う。すなわち、読み取り回路１４で原稿画像を読み取り、送信を行う。
【００５５】
一方、メモリカード３０に格納された画像情報の送信が指定された場合には、ＤＣＳ信号のＦＩＦのＸビットを”１”に、指定された画像情報がフルカラーかグレースケールかに応じて（Ｘ＋１）ビットを”１”または”０”に設定する。同時に、ＤＣＳ信号のＦＩＦにおいて、解像度情報および画像幅に関連する上述の各ビット（第１５、４１、４２、４３、４７、９８、１０５、１０６、１０７、１０８、１０９、１１０、１１１、１７、１８、１９、２０、７６、７７ビット）についてはあらかじめ設定された任意の値に設定し（もしくは何もせず）、それ以外は従来のカラーファクシミリ装置と同様の手順で画像情報を送信する。
【００５６】
（変形例）
上述の実施形態では、ＤＩＳ信号、ＤＣＳ信号とも、ＦＩＦのＸ及び（Ｘ＋１）ビット両方を定義していたが、Ｘビットのみを定義し、（Ｘ＋１）ビットは定義しなくても良い。
この場合、ＤＩＳ信号のＦＩＦのＸビットは、グレースケール又はカラー（色空間ｓＹＣＣ）のＪＰＥＧ受信機能の有無を通知し、ＤＣＳ信号のＦＩＦのＸビットは、グレースケール又はカラー（色空間ｓＹＣＣ）のＪＰＥＧ送信を指定する。
【００５７】
この場合の受信処理について、図８に示すフローチャートを用いて説明する。なお、図８は、図３〜図７において説明した処理と異なる部分を中心に示している。
まず、Ｓ０〜Ｓ１４までは図３に示した通りに処理を行う（Ｓ６０）。そして、Ｓ６２において、ＤＣＳ信号のＦＩＦのＸビットが１であるか否かが判断される。そして、ＹＥＳ（Ｘビットが１）であれば上述の実施形態においてＸビット及び（Ｘ＋１）ビットの両方が１の場合と同様、Ｓ１８の処理を行う（Ｓ６６）。そして、Ｓ６８で、送信側から送られてくる、色空間ｓＹＣＣのＪＰＥＧ情報（グレースケール又はカラー）を受信し、メモリカード３０へ格納する。ここで、ＪＰＥＧヘッダを参照し、そのＸパラメータで、受信したＪＰＥＧ画像の主走査方向の画素数を、Ｙパラメータで副走査方向のライン数を把握する。
【００５８】
そして、Ｓ７０ではＳ２２と同様の後手順を行い、Ｓ６へ戻る。
一方、Ｓ６２でＮＯの場合、すなわち、ＤＣＳ信号のＦＩＦのＸビットが０の場合は、Ｓ６４へ進み、図５（ｂ）に示すＳ３２からの処理を実行する。
【００５９】
［他の実施形態］
上述の実施形態では、解像度情報や画像幅情報が得られる画像情報として、色空間Ｌａｂの画像情報を、これら情報が得られない画像情報として色空間ｓＹＣＣの画像情報を例にして説明したが、本発明はこれら特定の色空間の画像情報に適用範囲を限定されるものではない。
【００６０】
本発明の本質は、送信側においては、直接読み取りを行った場合など、送信しようとする画像情報の解像度情報や画像幅情報を直接得ることが可能な場合（原稿情報の送信）と、これら情報が得られない場合（非原稿情報の送信）を送信側で指定するとともに、非原稿情報を送信する場合にはファイル変換等による解像度情報や原稿幅情報生成を行わず、受信側においては、非原稿情報の送信指定があった場合には通常の手順で与えられる解像度情報や画像幅情報を無視し、受信した画像情報から情報を得ることにある。
【００６１】
また、前述した実施形態の機能を実現するソフトウェアのプログラム（実施形態では図３〜図６に示すフローチャートに対応したプログラム）を、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００６２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００６３】
その場合、プログラムの機能を有していれば、オブジェクトコード、インタプリタにより実行されるプログラム、ＯＳに供給するスクリプトデータ等、プログラムの形態を問わない。
【００６４】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００６５】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００６６】
つまり、本発明の機能処理をコンピュータで実現するためのプログラムデータファイルを複数のユーザに対してダウンロードさせるサーバ装置も本発明に含む。
【００６７】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００６８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００７０】
【図１】本発明の一実施形態に係るファクシミリ装置の構成例を示すブロック図である。
【図２】本発明の実施形態に係るファクシミリ装置で用いるＦＩＦの例を示す図である。
【図３】、
【図４】、
【図５】、
【図６】、
【図７】、  本発明の実施形態に係るファクシミリ装置の動作を説明するフローチャートである。
【図８】本発明の実施形態の変形例に係るファクシミリ装置の動作を説明するフローチャートである。
【符号の説明】
【００７１】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
【図１】
2004159306.tif 000003
【図２】
2004159306.tif 000004
【図３】
2004159306.tif 000005
【図４】
2004159306.tif 000006
【図５】
2004159306.tif 000007
【図６】
2004159306.tif 000008
【図７】
2004159306.tif 000009
【図８】
2004159306.tif 000010